(57)【要約】【課題】本体部に設けた液体溜りに、水以外の液体を貯留し、地面を這う害虫が、植木鉢、地面等に侵入して這い上がり、植生した野菜、草花、樹木等を食して、それらの生育を害することを阻止する。【解決手段】  円筒形状の本体部２と、該本体部２を上方から覆って前記本体部２に嵌入させた中心部に開口部２ｂを形成した皿状の蓋体３からなり、前記本体部２の外周部と外壁の内周部との間に樋状の液体溜り２ｃを形成して水以外の液体Ｌを溜め、さらに、前記本体部２の前記外周部の上端部２ｄが、前記皿状の蓋体３の天面部３ｂの内底面との間に所定の間隙ｇが形成されるよう前記皿状の蓋体３の内部に下面から入り込むように構成して害虫の這い上がりを阻止し、かつ、前記樋状の液体溜り２ｃの底部に砂利Ｓを敷き詰めたことを特徴とする。【選択図】図４
2017018059.tif 000002
【特許請求の範囲】
【請求項１】
円筒形状の本体部と、該本体部を上方から覆って前記本体部に嵌入させた中心部に開口部を形成した皿状の蓋体からなり、前記本体部の外周部と外壁の内周部との間に樋状の液体溜りを形成して、水以外の液体を溜めて地面からの害虫の植生物への這い上がりを阻止したことを特徴とする虫除け装置。
【請求項２】
前記本体部の前記外周部の上端部を、前記皿状の蓋体の天面部の内底面との間に所定の間隙が形成されるよう前記皿状の蓋体の内部に下面から入り込むように構成して害虫の這い上がりを阻止し、かつ、前記樋状の液体溜りの底部に砂利を敷き詰めたことを特徴とする請求項１に記載の虫除け装置。
【請求項３】
前記円筒形状の本体部内壁の上端部に前記蓋体の前記開口部を嵌入させて前記本体部と前記蓋体とを嵌合・固定したことを特徴とする請求項１に記載の虫除け装置。
【請求項４】
前記蓋体の上端部に一段の篏合凹部を、また、前記本体部の上端部に一段の篏合凸部を形成して前記一段の篏合凹部に前記一段の篏合凸部を嵌入して、前記前記本体部と前記蓋体とを嵌合・固定したことを特徴とする請求項１に記載の虫除け装置。
【請求項５】
前記蓋体の上端部に二段の篏合凹部を、また、前記本体部の上端部に二段の篏合凸部を形成して前記二段の篏合凹部に前記二段の篏合凸部を嵌入して、前記前記本体部と前記蓋体とを嵌合・固定したことを特徴とする請求項１に記載の虫除け装置。
【請求項６】
前記樋状の液体溜り部に溜める液体が、油、植物油、農薬、塩水または珈琲カスのいずれかであることを特徴とする請求項１に記載の虫除け装置。
【請求項７】
前記本体部と前記蓋体が、薄いプラスティックシート材料を真空成形、射出成形またはブロー成形して製造されることを特徴とする請求項１に記載の虫除け装置。
【請求項８】
前記本体部と前記蓋体とをセメント施工または陶器で製造して生育中の大型果実木に対応できるようにしたことを特徴とする請求項１に記載の虫除け装置。
【請求項９】
前記本体部と前記蓋体の外周部から前記開口部に亘って半径方向に分割部を形成して前記本体部と前記蓋体とを弾性変形可能にして地面に生育中の樹木・植物に装着できるようにしたことを特徴とする請求項１に記載の虫除け装置。
【請求項１０】
前記虫除け装置と同一構造のミニ型虫除け装置を構成して、支柱に嵌着し、該支柱を地中に埋設・立設して蔓状の植生物の虫除けを可能としたことを特徴とする請求項１に記載の虫除け装置。
【請求項１１】
複数の前記ミニ型虫除け装置を複数の前記支柱に嵌着して地中に埋設・立設し、複数の前記支柱間にネットを張設して地面に植生した蔓状植物の蔓の地面への垂れ下がりを阻止したことを特徴とする請求項１０に記載の虫除け装置。
【発明の詳細な説明】
【技術分野】
【０００１】
本発明は、虫除け装置に係り、特に虫除け装置の本体部に設けた液体溜りに、水以外の液体を貯留し、ダンゴ虫、アリ、ナメクジ等の地面を這う害虫が、植木鉢、地面等から侵入して這い上がるのを阻止し、植生した野菜、草花、樹木等を食して、それらの生育を害することを防止した虫除け装置に関する。
【背景技術】
【０００２】
従来、このような地を這う害虫の侵入を阻止するために、例えば  図１６に示すように、虫除け構造体１０は、有底筒型をした植木鉢１１の上端縁に沿って窪み溝１５を有する樋状の貯留部１３を植木鉢１１の周壁１２の全周に亘って一体的に形成し、貯留部１３に水や駆虫液Lを満たすように構成されている。そして、貯留部１３の底部に着脱自在に栓１６を設け、この栓１６を抜いて古くなった水や駆虫液Lを貯留部１３から外部へ排水できるようになっている。
【０００３】
このような構成により、植木鉢１１の周壁１２を伝わって登ってきた、例えば、アリのような害虫が貯留部１３の裏面側に到達しても、再び地面に落下してしまう。また、例えば、ナメクジのように、植木鉢１１の周壁１２を吸着しながら移動する害虫であっても、貯留部１３に水や駆虫液Ｌを充填してあるので、その移動が阻止されるようになる（特許文献１参照）。
【０００４】
また、図１７に示すような、他の従来例では、すでに地面に生育している樹木２５の根元近傍に害虫の樹木への這い上り防止するために、水堀２２を設けた２分割した這い上がり防止用の装置２１を分割面２４を対向させて、その樹木幹貫通孔２３を樹木２５の幹に嵌入するようにして設置する。このような構成により、水を貯留した水堀２２により害虫の樹木２５への進入路を遮断して、害虫の樹木２５への這い上がりを阻止するようになっている（特許文献２参照）。
【先行技術文献】
【特許文献】
【０００５】
【特許文献１】特開２０００−１５７０５８号公報
【特許文献２】特開２０１４−２１７３６８号公報
【発明の概要】
【発明が解決しようとする課題】
【０００６】
このような従来の虫除け装置では、液体の貯留部に水または駆虫液等の薬液、特に水を溜めておいて、植栽部への害虫の侵入を阻止している。
【０００７】
しかしながら、液体の貯留部に水を溜めておくと、ボウフラが発生し、蚊の発生源となってしまい、感染症の媒介源となってしまう。東南アジア、例えば、シンガポールでは、マラリア予防のため、野外での水の溜め置きが法律で禁止されているから、この種の従来の虫除け装置は、利用できない。
【０００８】
また、この種の従来の虫除け装置の液体の貯留部に溜めた液体や薬剤は、風雨で外部に流出するとともに、太陽光線により蒸発するから、定期的に、これらの液体を虫除け装置の液体の貯留部に補給する手間暇がかかる等の問題点があった。
【課題を解決するための手段】
【０００９】
上記した課題を解決するため、本発明の虫除け装置は、円筒形状の本体部と、該本体部を上方から覆って前記本体部に嵌入させた中心部に開口部を形成した皿状の蓋体からなり、前記本体部の外周部と外壁の内周部との間に樋状の液体溜りを形成して水以外の液体を溜めて地面からの害虫の植生物への這い上がりを阻止したことを特徴とする。
【００１０】
また、本発明の虫除け装置では、前記本体部の前記外周部の上端部が、前記皿状の蓋体の天面部の内底面との間に所定の間隙が形成されるよう前記皿状の蓋体の内部に下面から入り込むように構成されて害虫の這い上がりを阻止し、かつ、前記樋状の液体溜りの底部に砂利を敷き詰めたことを特徴とする。
【００１１】
さらに、本発明の虫除け装置では、前記円筒形状の本体部内壁の上端部に前記蓋体の前記開口部を嵌入させて前記本体部と前記蓋体とを嵌合・固定したことを特徴とする。
【００１２】
またさらに、本発明の虫除け装置では、前記蓋体の上端部に一段の篏合凹部を、また、前記本体部の上端部に一段の篏合凸部を形成して前記一段の篏合凹部に前記一段の篏合凸部を嵌入して、前記前記本体部と前記蓋体とを嵌合・固定したことを特徴とする。
【００１３】
前記蓋体の上端部に二段の篏合凹部を、また、前記本体部の上端部に二段の篏合凸部を形成して前記二段の篏合凹部に前記二段の篏合凸部を嵌入して、前記本体部と前記蓋体とを嵌合・固定したことを特徴とする。
【００１４】
本発明の虫除け装置では、前記樋状の液体溜り部に溜める液体が、油、植物油、農薬、塩水または珈琲カスのいずれかであることを特徴とする。
【００１５】
また、本発明の虫除け装置では、前記本体部と前記蓋体が、薄いプラスティックシート材料を真空成形、射出成形またはブロー成形して製造することを特徴とする。
【００１６】
さらに、本発明の虫除け装置では、前記本体部と前記蓋体とをセメント施工または陶器で製造して生育中の大型果実木に対応できるようにしたことを特徴とする。
【００１７】
またさらに、本発明の虫除け装置では、前記本体部と前記蓋体の外周部から前記開口部に亘って半径方向に分割部を形成して前記本体部と前記蓋体とを弾性変形可能にして地面に生育中の樹木・植物に装着できるようにしたことを特徴とする。
【００１８】
本発明の虫除け装置では、前記虫除け装置と同一構造のミニ型虫除け装置を構成して、支柱に嵌着し、該支柱を地面に埋設・立設して蔓状の植生物の虫除けを可能としたことを特徴とする。
【００１９】
本発明の虫除け装置では、複数の前記ミニ型虫除け装置を複数の前記支柱に嵌着して地面に埋設・立設し、複数の前記支柱間にネットを張設して地面に植生した蔓状植物の蔓の地面への垂れ下がりを阻止したことを特徴とする。
【発明の効果】
【００２０】
本発明によれば、風雨を防ぎ、耐候性、耐光性に優れた虫除け装置が得られ、かつ、虫除けのための水の溜め置きを不要にして、蚊の発生源の阻止及び虫の這いあがりを防ぎ、さらに虫除けのため液体の補充を不要にできる等の顕著な効果を奏するようになる。
【００２１】
また、虫除け装置の本体部と蓋体に形成した分割部により容易に変形できるので、生育中の植物の茎、幹等に被せて装着して虫除けにも適用でき、さらに虫除け装置の設置場所を選ばずに、植木鉢の内側・外側、地植え、支柱を用いた蔓状植物への適用等、その利用範囲は、極めて広範である。
【００２２】
また、本発明の虫除け装置は、板厚の薄いプラスティックシート材料を真空成形、射出形成、ブロー成形等により製造できるので、安価に大量生産が可能である。
【図面の簡単な説明】
【００２３】
【図１】本発明の虫除け装置の全体構成を示す斜視図である。
【図２】図１に示した本発明の虫除け装置の本体部の斜視図である。
【図３】図１に示した本発明の虫除け装置の蓋体の斜視図である。
【図４】図１に示したＩ−Ｉ矢視断面図である。
【図５】図４に示した本体部の縦断面図である。
【図６】図４に示した蓋体の縦断面図である。
【図７】図４に示した蓋体と本体部と蓋体の篏合部の他の実施例であって、図７（ａ）は一段に形成した凸凹部による嵌合部を、また、図７（ｂ）はニ段に形成した凸凹部による嵌合部を、それぞれ線図で示した断面図である。
【図８】図７（ａ）及び図７（ｂ）に示した篏合部を嵌合した状態を、それぞれ線図で示した断面図である。
【図９】図２に示した本発明の虫除け装置の本体部の液溜り部に虫除け用の液体を貯留した状態を示す斜視図である。
【図１０】図１に示した本発明の虫除け装置を地面に生育した株立ち植物に適用した実施例の斜視図である。
【図１１】図１に示した本発明の虫除け装置のミニ型虫除け装置であって、支柱にミニ型虫除け装置を装着し、支柱の下端部を地中に埋設した実施例の斜視図である。
【図１２】図１に示した本発明の虫除け装置を、植物を植設した市販品の大型の植木鉢に適用した実施例の斜視図である。
【図１３】図１に示した本発明の虫除け装置を、既に地中に生育している株立ち植物に適用するために、本体部の半径方向に分割部を設けた実施例の斜視図である。
【図１４】図１３に示した本体部に分割部を形成した本発明の虫除け装置を地中に生育している株立ち植物に適用した実施例の斜視図である。
【図１５】西瓜等の蔓状植物に本発明の虫除け装置のミニ型虫除け装置を複数個埋設しネットを保持した実施例の斜視図である。
【図１６】従来の虫除け装置であって、植木鉢の上端部の外周面に液体の貯留部を形成した虫除け装置の縦断面図である。
【図１７】他の従来の虫除け装置であって、樹木の根元近傍に水堀を形成した複数個の部材を設置して組み立て、組み立てた水堀に水を満たし、害虫の這い上がりを阻止した従来の虫除け装置の斜視図である。
【発明を実施するための形態】
【００２４】
以下、本発明の虫除け装置の実施例を説明する。
【００２５】
先ず、本発明の虫除け装置で駆除する害虫について説明すると、それらの害虫は、ダンゴムシ、蟻、ナメクジ等の地面を這う虫であり、ダンゴムシは、西瓜、メロン、サツマイモ、サトイモ、キュウリ、トマト、ナス、環境によりその他花類にも食害を及ぼす。蟻は、甘い果実全般に食害を及ぼし、樹木、野菜類をどこまでも登り食害を及ぼす。また、ナメクジは、茎葉類に食害を及ぼすとされている。
【００２６】
本発明の虫除け装置は、このような害虫及びこれらの食害の対象となる樹木、野菜類等の植物の特性を考慮してなされたもので、図１に示すように、虫除け装置１は、虫除け用の液体（水を除く）を溜めた円筒形状の本体部２と、この本体部２を上方から覆って被せて風雨を防ぐ円筒皿状の蓋体３とからなり、蓋体３の中心部には、虫除けの対象となる樹木等が貫通して倒立する開口部３ａが形成されている。
【００２７】
そして、図２に示すように、円筒形状の本体部２の中心部には、先端に開口部２ｂを有するテーパ部２ａが一体に形成され、また、蓋体３の中心部には、図３に示すように開口部３ａが形成されている。
【００２８】
図１のＩ−Ｉ矢視断面図である図４に明示するように、円筒形状の本体部２のテーパ状外周部２ａの外周部と本体部の外壁の内周部との間に樋状の液体溜り部２ｃが形成されている。そして、この樋状の液体溜り部２ｃの底部には、虫除け装置１の地面に載置する際の安定性を確保し、かつ、液体溜り部２ｃの溜める液体Ｌの分量をできるだけ少なくするために、砂利Ｓが敷き詰められ、その上に虫除け用の液体（水を除く）Ｌが、液体溜り部２ｃの所定のレベルまで、溜められている。
【００２９】
ここで、図３に示す中心部に開口部３ａを有し、かつ、頂面に天面部３ｂを、さらに外周部にテーパ状フランジ３ｃを形成した蓋体３は、その開口部３ａのテーパ部と本体部２の開口部２ｂのテーパ部とを嵌合させてそれらの楔作用により本体部２と堅固に一体化されて本発明の虫除け装置１を構成する。
【００３０】
特に、図４に示すように、本体部２の上端部２ｄと蓋体３の天面部３ｂの内底面との間には、害虫が乗り越えない程度の所定の間隙ｇ(最少で１０ｍｍ以上、通常は約２０ｍｍ)が形成されて、蓋体３の内部にその下面から入り込んでいるから、地面から這い上がってくるダンゴムシ等の害虫は、まず、蓋体３の内側部と本体部２の上端部２ｄとによりその侵入を阻まれ、さらに、樋状の液体溜り部２ｃに溜められた水以外の液体Ｌにより、さらなる侵入を阻まれ、樹木等の植生物に到達することができなくなる。なお、本体部２と蓋体３の断面構造の詳細については、図５及び図６を参照。
【００３１】
また、本体部２と蓋体３との篏合を確実にして一体化するために、図７及び図８に示すような嵌合形態にしてもよい。
【００３２】
即ち、図７（ａ）は、本体部２と蓋体３との篏合部を一段に形成した凹凸部により両者の篏合を行うものである。この実施例では、図７（ａ）に本体部２と蓋体３とを上下に分離して図示してあり、その上部に示した蓋体３の開口部３ａに上端部に形成した篏合部Ａに、一段の嵌合用凹部ａを設け、他方、その下部に示した本体部２の開口部２ｂに形成した篏合部Ｂに一段の篏合用凸部ｂを形成する。
【００３３】
また、図７（ｂ）は、本体部２と蓋体３との篏合部を二段に形成した凹凸部により両者の篏合を行うものである。この実施例では、蓋体３の開口部３ａに上端部に形成した篏合部Ａ’に二段の嵌合用凹部ａ’を設け、他方、その下部に示した本体部２の開口部２ｂに形成した篏合部Ｂ’に二段の篏合用凸部ｂ’を形成する。
【００３４】
そして、図８（ａ）に示すように、一段の嵌合用凹部ａに一段の篏合用凸部ｂを本体部２と蓋体３の半径方向の弾性変形を利用して嵌入して、そして復元力により元の形状に復元されて両者が堅固に嵌合される。
【００３５】
また、図８（ｂ）に示すように、二段の嵌合用凹部ａ’に二段の篏合用凸部ｂ’を本体部２と蓋体３の半径方向の弾性変形を利用して嵌入して両者を堅固に嵌合する。特に、二段に嵌合用凹部ａ’及び篏合用凸部ｂ’を形成した篏合部Ａ’，Ｂ’によれば、本体部２と蓋体３の半径方向及び軸線方向が堅固に嵌合されるようになる。
【００３６】
なお、図９には、本発明の虫除け装置１の本体部２の液体溜り部２ｃに虫除け用の液体Ｌを貯留した状態を斜視図で示し、また、図１０には、本発明の虫除け装置１を地面に生育した株立ち植物Ｔに適用した状態を斜視図で示してある。
【００３７】
さらに、図１１は、本発明の虫除け装置を蔓状に生育する植物の虫除けに適用したミニ型虫除け装置１の実施例であって、金属材料、プラスティック材料等からなる支柱４をゴム材料からなるミニ型虫除け装置１の開口部に嵌入して固定し、地中に支柱４の先端部４ａを埋設して固定し、地面から這い上がってくる害虫の這い上がりをミニ型虫除け装置１の液溜り部で阻止するようになっている。
【００３８】
また、図１２は、本発明の虫除け装置を、植物を既に植設した市販品の大型の植木鉢に適用した実施例であって、虫除け装置１を構成する本体部２と蓋体３とを低背化して構成し、蓋体３の開口部に植木鉢５を配置して地面からの害虫の這い上がりを阻止するようにする。
【００３９】
またさらに、図１３は、図１に示した本発明の虫除け装置を、既に地中に生育している株立ち植物、例えば樹木に、適用した実施例であって、本体部２の外周面から半径方向にテーパ部２ａ、開口部２ｂに亘って所定幅の分割部（スリット）６を形成する。そして、本体部２を分割部（スリット）６から離反する方向に引っ張って変形させ、開口部２ｂを株立ち植物に被せてから原形に復元し、図１４に示すよう、分割部（スリット）６を接着剤、両面テープ等で接着・固定してから、液溜り部２ｃに虫除け用の液体を貯留する。
【００４０】
図１５は、西瓜等の蔓状に地面を這って生育する植物の虫除けに本発明の虫除け装置を適用した実施例の斜視図であって、図１１に示したミニ型虫除け装置１を、図１に示した本発明の虫除け装置１の四隅の地面に、例えば４個のミニ型虫除け装置１を取り付けた支柱４の先端部を地中に埋設し、支柱４の他端部に形成したスリット４ａでネット８を保持してテント状にネット８を張って生育する植物の地面への垂れ下がり、及び接地を防止する。
【００４１】
これにより、害虫の生育する蔓状の植物への這い上がりが阻止できるとともに、例えば、サツマイモの蔓が接地して、新たに根を伸ばしてサツマイモの数が増加して小型化し、商品価値が低下するのが回避される。
【００４２】
また、本発明の虫除け装置１では、本体部２と蓋体３とは、耐候性、耐光性に優れた０．２ｍｍから２．０ｍｍ程度の板厚のＰＥＴ，ＰＰ，ＰＳ，ＰＣ，ＰＶＣ，ＡＢＳ，ＰＥ等のプラスチックシート材料または各種ゴム材料を真空成形、射出成形、ブロー成形等により製造される。また、後述するように、生育中の大型果実に対応するため本体部２と蓋体３とをセメント施工(特に屋外に配置して対候性、耐光性が要求される場合)または陶器製にしてもよい。
【００４３】
本体部２の液体溜り部２ｃに溜める虫除け用の液体Ｌ（水を除く）としては、油、オリーブオイル等の植物油、農薬、塩水（特にナメクジ用）、珈琲カス（特にアリ用）を使用する。
【００４４】
このような本発明の虫除け装置により、風雨を防ぎ、耐候性、耐光性に優れた虫除け装置が得られ、かつ、虫除けのための水の溜め置きを不要にして、蚊の発生源の阻止及び虫の這いあがりを防ぎ、さらに虫除けのため液体の補充を不要にできる等の顕著な効果を奏するようになる。
【００４５】
また、本体部に形成した分割部により容易に変形できるので、生育中の植物の茎、幹等に被せて虫除けにも適用でき、さらに虫除け装置の設置場所を選ばずに、植木鉢の内側・外側、地植え、支柱を用いた蔓状植物への適用等その利用範囲は、極めて広範である。
【００４６】
さらに、本発明の虫除け装置は、厚さの薄いプラスティックシート材料を真空成形、射出形成、ブロー成形等により製造できるので、安価に大量生産が可能である。
【符号の説明】
【００４７】
１    虫除け装置
２    本体部
２ａ  テーパ状外周部
２ｂ  開口部
２ｃ  液体溜り部
２ｄ  上端部
３    蓋体
３ａ  開口部
３ｂ  上端面
３ｃ  テーパ状フランジ
３ｄ  下端面  
４    支柱
５    植木鉢
６    分割部（スリット）
８    ネット
Ｌ    虫除け用液体（水を除く）
Ｓ    砂利
Ｔ    植物
【図１】
2017018059.tif 000003
【図２】
2017018059.tif 000004
【図３】
2017018059.tif 000005
【図４】
2017018059.tif 000006
【図５】
2017018059.tif 000007
【図６】
2017018059.tif 000008
【図７】
2017018059.tif 000009
【図８】
2017018059.tif 000010
【図９】
2017018059.tif 000011
【図１０】
2017018059.tif 000012
【図１１】
2017018059.tif 000013
【図１２】
2017018059.tif 000014
【図１３】
2017018059.tif 000015
【図１４】
2017018059.tif 000016
【図１５】
2017018059.tif 000017
【図１６】
2017018059.tif 000018
【図１７】
2017018059.tif 000019